(57)【要約】      （修正有）【課題】ケーブルの固定に手間が掛からず、フレーム間の寸法に合わせて取り付けることができる汎用性の高いケーブルホルダを提供する。【解決手段】ケーブルホルダ６はフレーム２に固定される２つの固定ブロック７と、固定ブロック７間に取り付けられてケーブルを保持する少なくとも一以上のホルダブロック９とで構成し、フレーム２，２間の寸法に合わせてホルダブロック９の数を増減させることによりあらゆるフレーム２，２間の寸法に対応する。また、ホルダブロック９は固定ブロック７に対して回転可能になっており、ケーブルの配線方向に応じた保持が可能である。【選択図】        図１
2004296697.tif 000002
【特許請求の範囲】
【請求項１】
機器収納用ラック内に配線されるケーブルを保持するために前記機器収納用ラック内に垂設されたフレーム間に設けられるケーブルホルダにおいて、前記フレームに固定手段により固定される２つの固定ブロックと、該固定ブロック間に着脱可能に取り付けられて前記ケーブルを保持する少なくとも一以上のホルダブロックとで構成したことを特徴とするケーブルホルダ。
【請求項２】
前記ホルダブロックは一部に前記ケーブルを導入するための開閉自在な開閉部を有する枠状に形成したことを特徴とする請求項１に記載のケーブルホルダ。
【請求項３】
前記ホルダブロックを回転可能にしたことを特徴とする請求項１又は請求項２に記載のケーブルホルダ。
【発明の詳細な説明】
【０００１】
【発明の属する技術分野】
本発明は、通信機器等を収納する機器収納用ラックのフレーム間に設けられ、ケーブルを保持するためのケーブルホルダに関する。
【０００２】
【従来の技術】
従来、機器収納用ラックに収納された通信機器等に配線されるケーブルを保持するためにフレーム間に設けられるケーブルホルダは、形状が棒状や長板状等に形成され、機器収納用ラック内に垂設されたフレーム間にケーブルホルダを螺着固定し、このケーブルホルダに結束バンド等を用いてケーブルを固定していた（例えば、非特許文献１参照。）。
【０００３】
【非特許文献１】
“カワムラ  ラックカタログ  Ｎｏ．７  改訂版”、河村電器産業株式会社、２００２年５月１０日、ｐ．１１２−１１４
【０００４】
【発明が解決しようとする課題】
機器収納用ラックは様々なサイズの機器を収納できるように多くの種類があり、種類によってはフレーム間の寸法が異なっている。しかしながら、従来のケーブルホルダは長さ寸法が調節できない構造なので、フレーム間の寸法に合わせて長さ寸法が異なるものを用意しなければならず、汎用性がなかった。また、ケーブルの固定に結束バンドを必要とするため、配線に手間が掛かっていた。
【０００５】
そこで上記問題点に鑑み、本発明の目的は、ケーブルの固定に手間が掛からず、フレーム間の寸法に合わせて取り付けることができる汎用性の高いケーブルホルダを提供することである。
【０００６】
【課題を解決するための手段】
上記目的を達成するために、請求項１に記載の発明によれば、機器収納用ラック内に配線されるケーブルを保持するために機器収納用ラック内に垂設されたフレーム間に設けられるケーブルホルダにおいて、フレームに固定手段により固定される２つの固定ブロックと、固定ブロック間に着脱可能に取り付けられてケーブルを保持する少なくとも一以上のホルダブロックとで構成したことを特徴とする。
【０００７】
請求項２に記載の発明によれば、請求項１に記載のケーブルホルダにおいて、ホルダブロックは一部にケーブルを導入するための開閉自在な開閉部を有する枠状に形成したことを特徴とする。
【０００８】
請求項３に記載の発明によれば、請求項１又は請求項２に記載のケーブルホルダにおいて、ホルダブロックを回転可能にしたことを特徴とする。
【０００９】
【発明の実施の形態】
請求項１に記載の発明によれば、機器収納用ラック内に配線されるケーブルを保持するために機器収納用ラック内に垂設されたフレーム間に設けられるケーブルホルダにおいて、フレームに固定手段により固定される２つの固定ブロックと、固定ブロック間に着脱可能に取り付けられてケーブルを保持する少なくとも一以上のホルダブロックとで構成したことにより、ケーブルの固定に手間が掛からず、また、フレーム間の寸法に合わせてホルダブロックを増減させてケーブルホルダの長さ寸法を可変することができ、汎用性を持たせることができる。
【００１０】
請求項２に記載の発明によれば、請求項１に記載のケーブルホルダにおいて、ホルダブロックは一部にケーブルを導入するための開閉自在な開閉部を有する枠状に形成したことにより、ケーブルの固定に手間が掛からない。
【００１１】
請求項３に記載の発明によれば、請求項１又は請求項２に記載のケーブルホルダにおいて、ホルダブロックを回転可能にしたことにより、ケーブルの配線方向に応じて固定することができる。
【００１２】
【実施例】
本発明に係るケーブルホルダの実施例を図１〜図７の添付図面に基づいて説明する。
【００１３】
機器収納用ラック１は内部に４本のフレーム２が垂設され、フレーム２は高さ方向に多数のネジ孔３が穿設されており、通信機器４等が螺着されて取り付けられる。
【００１４】
また、フレーム２には通信機器４等に配線されるケーブル５を保持するためのケーブルホルダ６がフレーム２，２間に取り付けられる。ケーブルホルダ６はフレーム２に固定される２つの固定ブロック７，８と、固定ブロック７，８間に取り付けられる複数のホルダブロック９とで構成し、合成樹脂等により形成されている。
【００１５】
ホルダブロック９はケーブル５を保持するために枠状に形成され、一側面に開閉自在な開閉部９ａが形成されてケーブル５を導入できるようになっている。開閉部９ａを閉塞した際に開閉部９ａの先端部に形成した突条９ｂと対向する部分には図示しない溝が形成され、開閉部９ａは本体部９ｃに係脱可能になっている。また、開閉部９ａを挟んだ本体部９ｃの両側面の一方には凸部９ｄが形成され、他方には凹部９ｅが形成され、凸部９ｄは別のホルダブロック９の凹部９ｅと係合可能になっている。
【００１６】
詳しく説明すると、凹部９ｅは正方形状の開口部９ｆと、開口部９ｆの奥に形成された空洞部９ｇとで形成され、凸部９ｄは凹部９ｅの開口部９ｆに挿通可能な正方形状に突設され、基端側の径は小さく形成されている。この小径部９ｈの厚みは開口部９ｆの厚みより僅かに大きく形成されているので凸部９ｄを凹部９ｅに挿通させて回転させることにより凸部９ｄの先端側の大径部９ｉが凹部９ｅの開口部９ｆの裏面に係合してホルダブロック９同士を連結することができる。
【００１７】
また、凸部９ｄは結合しようとするホルダブロック９の連結面を一致させた際に凹部９ｅに対して４５゜傾いた状態に形成されているため、ホルダブロック９の連結面が一致している際は結合状態であり、よって、そこから９０゜毎回転させた状態でも結合している。ここで、例えば、図示しないが連結面の一方に突起を形成し、対向する他方側の連結面に窪みを形成する等により、連結位置の位置決めがしやすくなる。
【００１８】
固定ブロック７，８はフレームに固定される固定片７ａ，８ａとホルダブロック９に連結するための連結片７ｂ，８ｂとで略Ｌ字状に形成されている。２つの固定ブロック７，８のうち、一方の固定ブロック７の連結片７ｂにはホルダブロック９の一方側に形成された凹部９ｅに対応する凸部７ｃが形成され、他方の固定ブロック８の連結片８ｂにはホルダブロック９の他方側に形成した凸部９ｄに対応する凹部８ｃが形成されている。尚、固定ブロック７，８の凸部７ｃ及び凹部８ｃの形状はホルダブロック９の凸部９ｄ及び凹部９ｅの形状と同一であるため、詳細については説明を省略する。また、固定ブロック７，８の固定片７ａ，８ａは取付ネジ１０が挿通するための横長形状の長孔７ｄ，８ｄが形成され、フレーム２，２間の寸法に合わせて取付ネジ１０の位置を微調整できるようになっている。
【００１９】
こうして形成されたケーブルホルダ９は固定ブロック７，８に対して各ホルダブロック９を回転させることができ、ケーブル５の配線方向に応じた保持が可能である。また、ホルダブロック９は簡単に着脱できるので、本実施例では４つのホルダブロック９を使用しているが図７のように５つのホルダブロック９を使用する等、ホルダブロック９の数を増減させてあらゆるフレーム２，２間の寸法に合わせることができる。
【００２０】
尚、ホルダブロックの開閉部の係脱構造やホルダブロックと固定ブロックの連結構造やフレームへの固定ブロック固定構造等について限定はなく、ホルダブロックと固定ブロックの形状や構造について本発明の趣旨を逸脱しない範囲で適宜変更可能である。
【００２１】
【発明の効果】
以上説明したように請求項１に記載の発明によれば、機器収納用ラック内に配線されるケーブルを保持するために機器収納用ラック内に垂設されたフレーム間に設けられるケーブルホルダにおいて、フレームに固定手段により固定される２つの固定ブロックと、固定ブロック間に着脱可能に取り付けられてケーブルを保持する少なくとも一以上のホルダブロックとで構成したことにより、結束バンド等の別部品を用意する必要がないのでケーブルの固定に手間が掛からず、また、フレーム間の寸法に合わせてホルダブロックを増減させてケーブルホルダの長さ寸法を可変することができ、汎用性を持たせることができるという効果がある。
【００２２】
請求項２に記載の発明によれば、請求項１に記載のケーブルホルダにおいて、ホルダブロックは一部にケーブルを導入するための開閉自在な開閉部を有する枠状に形成したことにより、結束バンド等を用意する必要がなく、ケーブルの固定に手間が掛からないという効果がある。
【００２３】
請求項３に記載の発明によれば、請求項１又は請求項２に記載のケーブルホルダにおいて、ホルダブロックを回転可能にしたことにより、ケーブルの配線方向に応じて固定することができるという効果がある。
【図面の簡単な説明】
【図１】本発明に係る機器収納用ラックの斜視図である。
【図２】ケーブルホルダの斜視図である。
【図３】ケーブルホルダのホルダブロックの斜視図である。
【図４】ホルダブロック同士の連結した状態を示す斜視図である。
【図５】固定ブロックとホルダブロックの連結方法を示す斜視図である。
【図６】固定ブロックとホルダブロックの連結方法を示す斜視図である。
【図７】ケーブルホルダの斜視図である。
【符号の説明】
１…機器収納用ラック
２…フレーム
５…ケーブル
６…ケーブルホルダ
７，８…固定ブロック
９…ホルダブロック
【図１】
2004296697.tif 000003
【図２】
2004296697.tif 000004
【図３】
2004296697.tif 000005
【図４】
2004296697.tif 000006
【図５】
2004296697.tif 000007
【図６】
2004296697.tif 000008
【図７】
2004296697.tif 000009